(57)【特許請求の範囲】
【請求項１】
旅客用か駅員用かを識別する識別情報を含んだＩＣと、
前記ＩＣと通信可能な非接触センサと、
前記非接触センサと通信可能であり、前記非接触センサから旅客用か駅員用かを識別する識別情報を受信して、旅客用か駅員用かを判定して結果を出力するＩＣ判別システムと、
前記ＩＣ判別システムと通信可能であって、前記識別情報が旅客用であれば所定の情報を出力し、前記識別情報が駅員用であれば詳細情報を出力する運行管理システムと、
前記ＩＣ判別システムと通信可能であって、振替輸送情報を出力する経路検索システムと、
前記ＩＣ判別システムと通信可能であって、識別情報が駅員用であれば、駅ホーム、駅に近い位置にいる列車内における監視カメラの映像を出力する防犯安全システムと
を備えたことを特徴とする駅業務支援システム。
【請求項２】
前記経路検索システムにおいて、前記識別情報が旅客用であって遅延証明の発行が許可されている場合は振替輸送情報及び遅延証明発行情報を出力するともに、前記識別情報が駅員用であれば振替輸送情報および業務情報を出力する請求項１に記載の駅業務支援システム。
【請求項３】
前記防犯安全システムにおいて、ホームや、列車内のＳＯＳボタンが押された時には、前記ＳＯＳボタンに近い位置にある監視カメラの映像を出力する請求項１または２のいずれか一項に記載の駅業務支援システム。
【請求項４】
前記運行管理システムにおいて、前記詳細情報の中に、介助要求者の情報であって、列車、列車の位置、介助の必要の有無、付き添いの有無、目的地、乗り換え情報のうちいずれかを含むことを特徴とする請求項１から３のいずれか一項に記載の駅業務支援システム。
【請求項５】
駅のホーム柵に、前記非接触センサが設置され、
前記運行管理システム、前記経路検索システム及び前記防犯安全システムと通信可能であって各々の出力情報にも基づいて駅のホーム柵に設置されたモニタへの出力制御をおこなう表示制御装置を備えた請求項１から４のいずれか一項に記載の駅業務支援システム。
【請求項６】
前記運行管理システムまたは前記経路検索システムにおいて、前記駅のホーム柵の位置によるホーム、使用路線、使用路線に対する接続路線、のいずれかに関する情報を優先して出力する請求項５に記載の駅業務支援システム。
【請求項７】
駅のホーム柵に設置された扉の開閉を制御する電子扉制御装置を備え、
前記防犯安全システムにおいて、前記電子扉制御装置の稼動状況も前記電子扉制御装置の出力から収集のうえ出力する請求項５または６のいずれか一項に記載の駅業務支援システム。
【請求項８】
前記ＩＣが携帯情報端末の機能と連動して動作している場合には、前記表示制御装置に接続されたアクセスポイントを経由して各々の出力情報を前記携帯情報端末に送信する請求項５から７のいずれか一項に記載の駅業務支援システム。
【発明の詳細な説明】
【技術分野】
【０００１】
本発明は、駅業務支援システムに関するものである。
【背景技術】
【０００２】
従来の駅業務支援システムとして、利用者向けにＷｅｂアプリケーションを利用して各媒体に運行情報を任意に同報・個別提供するシステムと連動して振替輸送情報、運行情報を表示するシステムが提供されていた。（特許文献１）。
【先行技術文献】
【特許文献】
【０００３】
【特許文献１】特開２００４−１３３６１２号公報
【発明の概要】
【発明が解決しようとする課題】
【０００４】
従来の方法では、利用者向けにＷｅｂアプリケーションを利用して各媒体に運行情報を任意に同報・個別提供されるシステムを利用して、利用者は、携帯電話などを通じてその情報を得ることできるものの、駅員については、利用者向けとは別の運行管理システムが駅員事務所にあり、また運行管理センターからの情報または、事務所からの無線などに基づき、その駅でアナウンスすべき内容を駅員が判断し、アナウンスすると共に、旅客に提供していた。したがって、駅員が状況を確認する間はホーム、特に乗り場付近から離れることとなり、頻繁に確認すればホームでの対応が遅れ、確認を少なくすると状況の変化に対して情報が古くなってしまうなど充分な対応ができなかった。
【０００５】
また、転落防止等のためにホーム柵が設けられるようになってきたが、扉の開閉状況は列車の扉と同じくランプの点灯、消灯によって確認するため、例えホーム柵の扉の異常が検知されても、異常が発生した扉を探す必要があった。監視システムも別のシステムとなっており、監視映像は監視映像を表示するための専用モニタにて表示していたため、モニタ設置場所まで行かないと監視映像を見ることができない、という問題があった。
【０００６】
この発明は、以上のような問題を解決するために考案したもので、駅員、旅客がホームのどこに居ても、駅員、旅客の区別をつけて、列車の運行状況の確認ができるだけでなく、駅員には監視カメラの映像を任意のモニタで確認もできることを目的とする。
【課題を解決するための手段】
【０００７】
本発明は、旅客用か駅員用かを識別する識別情報を含んだＩＣと、ＩＣと通信可能な非接触センサと、前記非接触センサと通信可能であり、前記非接触センサから旅客用か駅員用かを識別する識別情報を受信して、旅客用か駅員用かを判定して結果を出力するＩＣ判別システムと、前記ＩＣ判別システムと通信可能であって、前記識別情報が旅客用であれば所定の情報を出力し、前記識別情報が駅員用であれば詳細情報を出力する運行管理システムと、前記ＩＣ判別システムと通信可能であって、振替輸送情報を出力する経路検索システムと、前記ＩＣ判別システムと通信可能であって、識別情報が駅員用であれば、駅ホーム、駅に近い位置にいる列車内における監視カメラの映像を出力する防犯安全システムとを備えたものである。
【発明の効果】
【０００８】
本発明によれば、旅客用か駅員用かを識別する識別情報を含んだＩＣと、ＩＣと通信可能な非接触センサと、前記非接触センサと通信可能であり、前記非接触センサから旅客用か駅員用かを識別する識別情報を受信して、旅客用か駅員用かを判定して結果を出力するＩＣ判別システムと、前記ＩＣ判別システムと通信可能であって、前記識別情報が旅客用であれば所定の情報を出力し、前記識別情報が駅員用であれば詳細情報を出力する運行管理システムと、前記ＩＣ判別システムと通信可能であって、振替輸送情報を出力する経路検索システムと、前記ＩＣ判別システムと通信可能であって、識別情報が駅員用であれば、駅ホーム、駅に近い位置にいる列車内における監視カメラの映像を出力する防犯安全システムとを備えたことで、無線経由にて携帯電話や専用端末が、表示制御装置経由にてモニタが、各々出力された情報を表示することができるので、駅員の業務を効率化すると共に、情報の伝達や、安全、安心面において旅客の満足度も向上することができる。
【図面の簡単な説明】
【０００９】
【図１】実施の形態１における駅業務支援システムを示す構成図。
【図２】実施の形態１における駅業務支援システムの駅のホームでの設置された状態を示した図。
【発明を実施するための形態】
【００１０】
実施の形態１．
実施の形態１では、駅員が任意の場所でＩＣチップ搭載の携帯端末（携帯電話）でICカードリーダにタッチすると、表示制御装置はＩＣ判別システムにより駅員であることを認証し、運行管理システムより現在の詳細運行情報を携帯端末に取得し、駅員はその情報により、旅客に案内を行うことができる駅業務支援システムについて説明する。
【００１１】
図１は、実施の形態１における駅業務支援システムを示す構成図である。
【００１２】
図１において、駅業務支援システムは、まず、ネットワーク１００に、運行管理システム１０１、経路検索システム１０２、防犯安全システム１０３、電子扉制御装置１０４、ＩＣ判別システム１０６、表示制御装置１０７、非接触センサ１０９、無線アクセスポイント１１０がすべて接続され、通信可能な状態となっている。
運行管理システム１０１は、運行情報や遅延情報などを旅客や駅員に提供するシステムである。旅客用の情報と駅員情報とは区別されており、駅員情報は、旅客用よりも詳細に、次の電車の位置、到着時刻、通常は旅客用の情報としては扱わない事故の詳細情報も提供することができる。
【００１３】
経路検索システム１０２は、通常の路線の事故情報が発生した際に振替輸送に対応した経路を検索し、出力するシステムである。また、旅客に対しては、遅延証明の発行許可も出力することができる。
防犯安全システム１０３は、駅ホーム、駅に近い位置にいる列車内におけるカメラ監視システムで、特に、駆け込み乗車などに対応するための、ドア開閉時の旅客等のはさみこみ確認用のホームに設置した監視カメラや、線路内に落下した際などに感知するセンサ、列車内における異常を監視する監視カメラなどから構成され、その状態を映像や、センサの値で出力するシステムである。
【００１４】
電子扉制御装置１０４は、ホームの安全確保のための、ホームと列車との間に設置された扉１０５の開閉を制御するためのものであり、その開閉状態をネットワーク１００に出力する。また、電子扉制御装置１０４単体で扉１０５を制御できるが、例えば防犯安全システム１０３などと連動して高速で通過する列車があるときには、電子扉制御装置１０４単体で誤って開閉操作しても、扉１０５が開かないといった制御をネットワーク１００を介して行うことができる。
【００１５】
ＩＣ判別システム１０６は、非接触センサ１０９から得られた情報が一般旅客か、駅員かについて判別し、判別結果を出力する。
非接触センサ１０９は、例えば、ＩＣカードリーダライタで、携帯電話や電子乗車券ICチップの情報を読み書きすることができる。
例えば、旅客携帯電話１１１、駅員専用携帯電話１１２、駅員専用端末１１３、旅客ＩＣカード１１４、駅員専用ＩＣカード１１５などから非接触センサ１０９を経由してその端末及びカード情報を得ることができ、ＩＣ判別システム１０６が、一般旅客か、駅員かについて判別し、判別結果を必要に応じて、運行管理システム１０１、経路検索システム１０２、防犯安全システム１０３などに出力する。
【００１６】
表示制御装置１０７は、運行管理システム１０１、経路検索システム１０２、防犯安全システム１０３、電子要制御装置１０４、ＩＣ判別システム１０６から出力指示を受けて、その内容を統合した上で、モニタ１０８に対して表示制御を行う。例えば、列車がホームに来ていないときには、運行管理状況や広告等を表示し、列車がホームに来ているときには、運行管理状況と防犯安全システム１０３の監視カメラが映し出す画面を交互または両方などの手段を取ることができる。
【００１７】
アクセスポイント１１０は、駅員専用携帯電話１１２や駅員専用端末１１３からの非接触端末１０９との通信に対する応答として、無線を経由して通信を行うためのものである。
非接触センサ１０９と、アクセスポイント１１０は、ネットワーク１００に直接接続することも可能だが、表示制御装置１０７を経由してネットワーク１００に接続され、通信することが好ましい。
図２は、実施の形態１における駅業務支援システムの駅のホームでの設置された状態を示した図である。
非接触センサ１０９と、アクセスポイント１１０が、表示制御装置１０７を経由してネットワーク１００に接続され、通信することが好ましい理由は、表示制御装置１０７は図２に示すように、特定のホーム柵に設置されるために、位置が特定でき、すなわち、それにアクセスする、旅客や駅員の位置を特定することができるため、ホーム柵の画面に表示する場合にどのモニタに表示するか、現在位置から見た適切な旅客への案内が駅員の位置情報をシステムに伝えることなくできる。例えば、ホームが違えば、列車の路線も異なるため、路線ごとに特化した情報を優先的に案内することができる。
【００１８】
次に、駅業務支援システムの動作例について説明する。
動作例１
駅員が任意の場所でＩＣチップ搭載の駅員専用携帯電話１１２で非接触センサ１０９であるＩＣカードリーダにタッチする。
【００１９】
次に、非接触センサ１０９と接続された表示制御装置１０７は、ＩＣ判別システム１０６にその情報をネットワークで１００経由で送信する。
【００２０】
次に、ＩＣ判別システム１０６に送られたその情報が、駅員の所有するものであることを認証し、ＩＣ判別システム１０６は、認証情報を運行管理システム１０１及び経路探索システム１０２に送信する。
【００２１】
次に、運行管理システム１０１は、現在の詳細運行情報を駅員専用携帯電話１１２にネットワーク１００、及び無線アクセスポイント１１０経由で送信するとともに、経路検索システム１０２が、振替輸送情報を同様に駅員専用携帯電話１１２に送信する。
【００２２】
最後に、駅員専用携帯電話１１２が、現在の詳細運行情報取得した詳細情報および振替輸送情報、列車の位置、列車番号などの業務情報を受信する。
【００２３】
よって、駅員は、その得られた情報により、旅客に案内を行う。
動作例１における動作は、駅員専用携帯電話１１２ではなく、駅員専用端末１１３を使用した場合でも同様である。
【００２４】
旅客が旅客携帯電話１１１にて非接触センサ１０９であるＩＣカードリーダにタッチした場合は、鉄道事業者が設定したレベルの画一的な情報が旅客に提示される。旅客が携帯電話でタッチした場合には、携帯電話で表示可能な形式（例えばトルカのような）にて携帯電話に情報が伝送され表示される。
【００２５】
また、列車が事故などにより、遅延証明を発行する場合、旅客が、非接触センサ１０９であるＩＣカードリーダにタッチすることで、経路検索システム１０２が、遅延証明の発行を許可していれば、ＩＣカード側または携帯電話にその遅延証明発行情報を入力させることができる。よって、非接触センサ１０９は、図２のように列車の各扉近くのホームの柵に設置されているため、遅延証明発行時に改札に列が集中することなく、その列を分散させることができる。
【００２６】
駅員、旅客、いずれの場合にも、その非接触センサ１０９であるＩＣカードリーダにタッチした位置が把握できるため、運行管理システム１０１や経路探索システム１０２の出力情報内容をホーム、使用路線、使用路線に対する接続路線に連動した情報を優先的に特化して出力することが可能となり、より旅客サービスを向上させることができる。
【００２７】
動作例２
駅員が任意の場所でＩＣチップ搭載の駅員専用携帯電話１１２で非接触センサ１０９であるＩＣカードリーダにタッチする。
【００２８】
次に、非接触センサ１０９と接続された表示制御装置１０７は、ＩＣ判別システム１０６にその情報をネットワーク１００経由で送信する。
【００２９】
次に、ＩＣ判別システム１０６に送られたその情報が、駅員の所有するものであることを認証し、ＩＣ判別システム１０６は、認証情報を運行管理システム１０１及び経路探索システム１０２、防犯安全システム１０３に送信する。
【００３０】
次に、運行管理システム１０１は、現在の詳細運行情報を駅員専用携帯電話１１２にネットワーク１００、及び無線アクセスポイント１１０経由で送信するとともに、経路検索システム１０２が、振替輸送情報を同様に駅員専用携帯電話１１２に送信するとともに、防犯安全システム１０３は、駅員専用携帯電話１１２に任意の監視カメラ画像の送信有無について送信する。
また、防犯安全システム１０３は、駅員専用携帯電話１１２に扉１０５の開閉状況、電子扉制御装置１０４及び扉１０５の稼働状況（故障動作、正常動作など）も同様に駅員専用携帯電話１１２に送信することができる。
【００３１】
駅員が、駅員専用携帯電話１１２にて任意の監視カメラ画像の受信を選択すると、駅員専用携帯電話１１２の画面に防犯安全システム１０３のホーム上、駅に近い位置にいる列車内の監視カメラの映像が表示される。また、ホーム中の全ての扉１０５の開閉状況、電子扉制御装置１０４及び扉１０５の稼働状況（故障動作、正常動作で案内中など）が表示される。
【００３２】
特に、ホームや、列車内のＳＯＳボタンが押されていた場合には、そのＳＯＳボタンに近いホームまたは列車内の安全システム１０３の監視カメラ画像を優先的に表示することができる。
【００３３】
したがって、駅員は、例えば現在見える電車のドアの開閉時における安全だけではなく、現在位置より遠方の直接視界にとらえることのできない電車のドアの安全を確認することができる。また、回送運転時、終点到着時などに室内に旅客が残っていないか即座に確認することもできる。
また、ＳＯＳボタンが押されていた場合など、緊急時にすぐ情報が映像として確認することができる。
また、ホーム中の全ての扉１０５の開閉状況、電子扉制御装置１０４及び扉１０５の稼働状況（故障動作、正常動作で案内中など）も同様に確認することができる。
動作例２における動作は、駅員専用携帯電話１１２ではなく、駅員専用端末１１３を仕様した場合でも同様である。
【００３４】
動作例３
駅員が任意の場所でＩＣチップ搭載の駅員専用携帯電話１１２で非接触センサ１０９であるＩＣカードリーダにタッチする。
【００３５】
次に、非接触センサ１０９と接続された表示制御装置１０７は、ＩＣ判別システム１０６にその情報をネットワーク１００経由で送信する。
【００３６】
次に、ＩＣ判別システム１０６に送られたその情報が、駅員の所有するものであることを認証し、ＩＣ判別システム１０６は、認証情報を運行管理システム１０１及び経路探索システム１０２に送信する。
【００３７】
次に、運行管理システム１０１は、現在の詳細運行情報を駅員専用携帯電話１１２にネットワーク１００、及び無線アクセスポイント１１０経由で送信するとともに、経路検索システム１０２が、振替輸送情報を同様に駅員専用携帯電話１１２に送信する。
その際、運行管理システム１０１は、現在の詳細運行情報の中に、介助要求者の情報を含めることかでき、駅員専用携帯電話１１２にて表示させると特定の列車の中の何両目に、介助が必要な方の情報（車椅子であるとか、付き添いが居るか居ないか、目的地、乗り換えなど）が表示させることができる。
【００３８】
よって、駅員は、その得られた情報により、介助が必要な旅客に対しても迅速に案内を行うことができる。
動作例３における動作は、駅員専用携帯電話１１２ではなく、駅員専用端末１１３を仕様した場合でも同様である。
【００３９】
動作例４
動作例１〜３では、ＩＣチップ搭載の携帯端末１１１〜１１３と非接触センサ１０９を近づけることでネットワーク１００、無線アクセスポイント１１０を経由して携帯端末１１１〜１１３に情報が伝達されることについて記載したが、動作例４では非接触センサ１０９に接続された表示制御装置１０７を経由してモニタ１０８にその情報を表示するケースについて説明する。その際、モニタ１０８はタッチパネル式であることが望ましく、表示制御装置１０７と連動して情報の選択、表示をおこなうものとする。
【００４０】
駅員が任意の場所でＩＣチップ搭載の駅員専用携帯電話１１２で非接触センサ１０９であるＩＣカードリーダにタッチする。
動作例４の場合、携帯端末１１１〜１１３だけではなく、旅客ＩＣカード１１４、駅員専用ＩＣカード１１５といった、単なるＩＣカードでもよい。
【００４１】
次に、非接触センサ１０９と接続された表示制御装置１０７は、ＩＣ判別システム１０６に携帯端末１１１〜１１３、旅客ＩＣカード１１４、駅員専用ＩＣカード１１５から得られたその情報をネットワーク１００経由で送信する。
【００４２】
次に、ＩＣ判別システム１０６に送られたその情報が、駅員の所有するものであることを認証し、ＩＣ判別システム１０６は、認証情報を運行管理システム１０１及び経路探索システム１０２、防犯安全システム１０３に送信する。
【００４３】
次に、運行管理システム１０１は、現在の詳細運行情報を表示制御装置１０７にネットワーク１００を経由で送信するとともに、経路検索システム１０２が、振替輸送情報を同様に表示制御装置１０７に送信するとともに、防犯安全システム１０３は、表示制御装置１０７に任意の監視カメラ画像の送信有無について送信する。
【００４４】
次に、表示制御装置１０７は、モニタ１０８に、運行管理システム１０１、経路検索システム１０２、防犯安全システム１０３から受信した情報を表示させる。表示内容としては、動作例１〜３の場合と同様である。
【００４５】
モニタ１０８はタッチパネル式なので、メニューにより得られた情報を選択することで、表示制御装置１０７と連動して、モニタ１０８に、動作例１の場合のように、ＩＣ判別システム１０６における判別結果が、旅客携帯電話１１１または旅客ＩＣカード１１４であれば、鉄道事業者が設定したレベルの画一的な情報が旅客に提示され、駅員専用携帯電話１１２、駅員専用端末１１３、駅員専用ＩＣカード１１５であれば、現在の詳細運行情報取得した詳細情報および振替輸送情報、列車の位置、列車番号などの業務情報をモニタ１０８に表示することができる。
【００４６】
また、駅員、旅客、いずれの場合にも、その非接触センサ１０９であるＩＣカードリーダにタッチした位置が把握できるため、運行管理システム１０１や経路探索システム１０２の出力情報内容をホーム、使用路線、使用路線に対する接続路線に連動した情報を優先的に特化してモニタ１０８に出力することが可能となり、より旅客サービスを向上させることができる。
さらに、動作例２のように防犯安全システム１０３の任意の防犯カメラ（ホーム上、駅に近い位置にいる列車内）の映像をモニタ１０８にて確認することなどができる。
さらに、防犯安全システム１０３は、ホーム中の全ての扉１０５の開閉状況、電子扉制御装置１０４及び扉１０５の稼働状況（故障動作、正常動作で案内中など）もモニタ１０８にて確認することなどができる。
さらに、動作例３のように、運行管理システム１０１に含まれる介助要求者の情報に基づき、特定の列車の中の何両目に、介助が必要な方の情報（車椅子であるとか、付き添いが居るか居ないか、目的地、乗り換えなど）をモニタ１０８に表示させることができる。
【００４７】
したがって、本実施の形態では、旅客用か駅員用かを識別する識別情報を含んだＩＣ（１１１〜１１５）と、ＩＣ（１１１〜１１５）と通信可能な非接触センサ１０９と、非接触センサ１０９と通信可能であり、非接触センサ１０９から旅客用か駅員用かを識別する識別情報を受信して、旅客用か駅員用かを判定して結果を出力するＩＣ判別システム１０５と、ＩＣ判別システム１０５と通信可能であって、識別情報が旅客用であれば所定の情報を出力し、識別情報が駅員用であれば詳細情報を出力する運行管理システム１０１と、Ｃ判別システム１０５と通信可能であって、識別情報が旅客用であれば振替輸送情報及び遅延証明を発行する場合は遅延証明発行情報を出力するともに、識別情報が駅員用であれば振替輸送情報を出力する経路検索システム１０２と、ＩＣ判別システム１０５と通信可能であって、識別情報が駅員用であれば、駅ホーム、駅に近い位置にいる列車内における監視カメラの映像を出力する防犯安全システム１０３とを備え、無線経由にて携帯電話や専用端末が、表示制御装置１０７経由にてモニタが、出力された情報を表示することができるので、ホームのどこに居ても列車の運行状況や近づきつつある列車の位置の確認ができるだけでなく、監視カメラの映像を任意のモニタで確認でき、介助が必要な方の到着や介助内容までも把握できるため、駅員の業務を効率化すると共に、情報の伝達や、安全、安心面において旅客の満足度も飛躍的に向上することができる。
【符号の説明】
【００４８】
１００  ネットワーク
１０１  運行管理システム
１０２  経路検索システム
１０３  防犯安全システム
１０４  電素扉制御装置
１０５  扉
１０６  ＩＣ判別システム
１０７  表示制御装置
１０８  モニタ
１０９  非接触センサ
１１０  無線アクセスポイント
１１１  旅客携帯電話
１１２  駅員専用携帯電話
１１３  駅員専用端末
１１４  旅客ＩＣカード
１１５  駅員専用ＩＣカード
【図１】
0005471884.tif 000002
【図２】
0005471884.tif 000003